(57)【要約】【課題】船上で踏ん張りやすく、かつスリップしにくい釣り用履き物の提供。【解決手段】ブーツのアウトソール４は、内爪先部２６、外中間部３０及び内踵部３６を備えている。内爪先部２６及び外中間部３０は、多数の第一要素４２を有している。この第一要素４２は、第一防滑エッジを有する第一突起、第二防滑エッジを有する第二突起、第三防滑エッジを有する第三突起、及び第四防滑エッジを有する第四突起を有している。内踵部３６は、縦溝９２及び横溝９４を有している。縦溝９２の幅は、ヒールサイドからトウサイドに向かって徐々に大きくなる。横溝９４の幅は、アウトサイドからインサイドに向かって徐々に大きくなる。【選択図】図２
2015216968.tif 000002
【特許請求の範囲】
【請求項１】
その底面に多数の第一要素を有しており、
上記第一要素が、第一防滑エッジを有する第一突起、第二防滑エッジを有する第二突起、第三防滑エッジを有する第三突起、第四防滑エッジを有する第四突起、及び１又は２以上の小溝を有しており、
上記小溝によって、上記第一突起、上記第二突起、上記第三突起及び上記第四突起が互いに分離されており、
上記底面の輪郭内に画かれうる最長の線分であるである長さ線よりもインサイドであって、トウサイド端からの距離が上記長さ線の長さの０％以上１８％以下であるゾーンに、主として上記第一要素が配置されており、
上記長さ線よりもアウトサイドであって、トウサイド端からの距離が上記長さ線の長さの３５％以上７８％以下であるゾーンにも、主として上記第一要素が配置されている、釣り用履き物のアウトソール。
【請求項２】
上記底面に多数の第二要素を有しており、
上記第二要素が、第五防滑エッジを有する第五突起、第六防滑エッジを有する第六突起、第七防滑エッジを有する第七突起、第八防滑エッジを有する第八突起、及び１又は２以上の小溝を有しており、
上記小溝によって、上記第五突起、上記第六突起、上記第七突起及び上記第八突起が互いに分離されており、
１つの小溝の幅が、上記第一要素の小溝の幅よりも大きく、
上記長さ線よりもアウトサイドであって、トウサイド端からの距離が上記長さ線の長さの７８％以上１００％以下であるゾーンに、主として上記第二要素が配置されている請求項１に記載のアウトソール。
【請求項３】
上記長さ線よりもインサイドであって、トウサイド端からの距離が上記長さ線の長さの４３％以上６８％以下であるゾーンにも、主として上記第二要素が配置されている請求項２に記載のアウトソール。
【請求項４】
上記長さ線よりもインサイドであって、トウサイド端からの距離が上記長さ線の長さの６８％以上１００％以下であるゾーンに、縦溝及び横溝を有しており、
上記縦溝の幅が、ヒールサイドからトウサイドに向かって徐々に大きくなり、
上記横溝の幅が、アウトサイドからインサイドに向かって徐々に大きくなる請求項１から３のいずれかに記載のアウトソール。
【請求項５】
上記底面が、拇指球に相当する部位を挟んで位置する２つの屈曲溝を有しており、
それぞれの屈曲溝が、アウトサイドからインサイドに向かってトウサイドからヒールサイドに向かう方向に延在している請求項１から４のいずれかに記載のアウトソール。
【請求項６】
上記底面が、上記２つの屈曲溝に挟まれたゾーンに、ジグザグ状の複数の突起を有しており、それぞれの突起がアウトサイドからインサイドに向かってトウサイドからヒールサイドに向かう方向に延在している請求項５に記載のアウトソール。
【請求項７】
甲皮と、上記請求項１から６のいずれかに記載のアウトソールとを備えた釣り用履き物。
【発明の詳細な説明】
【技術分野】
【０００１】
本発明は、釣り人等に着用される履き物に関する。詳細には、本発明は、この履き物のアウトソールの改良に関する。
【背景技術】
【０００２】
釣りに、ブーツが利用されている。ブーツは、釣り人の足や衣服が水に濡れることを防止する。ブーツは、磯、サーフ、波止、船等の様々なフィールドでの釣りに利用されている。釣りに適したブーツが、株式会社シマノの「２０１３  Ｆｉｓｈｉｎｇ  Ｔａｃｋｌｅ  Ｃａｔａｌｏｇｕｅ」の第２９５頁に開示されている。
【先行技術文献】
【非特許文献】
【０００３】
【非特許文献１】株式会社シマノの「２０１３  Ｆｉｓｈｉｎｇ  Ｔａｃｋｌｅ  Ｃａｔａｌｏｇｕｅ」第２９５頁
【発明の概要】
【発明が解決しようとする課題】
【０００４】
船での釣りでは、釣り人はデッキの上に立つ。船は波で様々な方向に揺れるので、釣り人の足には様々な方向への力がかかる。釣り人は、この力に対して踏ん張る。踏ん張りが容易なブーツが、望まれている。
【０００５】
デッキは、水に濡れていることが多い。釣り人がデッキの上を歩くとき、水がブーツのスリップを招く。スリップしにくいブーツが望まれている。
【０００６】
ブーツ以外の、靴、タビ、サンダル、ウェーダー等の履き物においても、踏ん張りやすいこと、及びスリップしにくいいことが望まれている。
【０００７】
本発明の目的は、船上で踏ん張りやすく、かつスリップしにくい釣り用履き物の提供にある。本発明の他の目的は、この履き物に適したアウトソールの提供にある。
【課題を解決するための手段】
【０００８】
本発明に係るアウトソールは、その底面に多数の第一要素を有する。この第一要素は、第一防滑エッジを有する第一突起、第二防滑エッジを有する第二突起、第三防滑エッジを有する第三突起、第四防滑エッジを有する第四突起、及び１又は２以上の小溝を有する。これら小溝によって、第一突起、第二突起、第三突起及び第四突起は、互いに分離されている。アウトソールの底面の輪郭内に画かれうる最長の線分である長さ線よりもインサイドであって、トウサイド端からの距離が上記長さ線の長さの０％以上１８％以下であるゾーンに、主として第一要素が配置される。長さ線よりもアウトサイドであって、トウサイド端からの距離が長さ線の長さの３５％以上７８％以下であるゾーンにも、主として第一要素が配置される。
【０００９】
好ましくは、アウトソールは、その底面に多数の第二要素を有する。この第二要素は、第五防滑エッジを有する第五突起、第六防滑エッジを有する第六突起、第七防滑エッジを有する第七突起、第八防滑エッジを有する第八突起、及び１又は２以上の小溝を有する。これら小溝によって、第五突起、第六突起、第七突起及び第八突起が互いに分離されている。１つの小溝の幅は、第一要素の小溝の幅よりも大きい。長さ線よりもアウトサイドであって、トウサイド端からの距離が長さ線の長さの７８％以上１００％以下であるゾーンに、主として第二要素が配置される。
【００１０】
好ましくは、長さ線よりもインサイドであって、トウサイド端からの距離が長さ線の長さの４３％以上６８％以下であるゾーンにも、主として第二要素が配置される。
【００１１】
好ましくは、アウトソールは、長さ線よりもインサイドであって、トウサイド端からの距離が長さ線の長さの６８％以上１００％以下であるゾーンに、縦溝及び横溝を有する。この縦溝の幅は、ヒールサイドからトウサイドに向かって徐々に大きくなる。横溝の幅は、アウトサイドからインサイドに向かって徐々に大きくなる。
【００１２】
好ましくは、アウトソールは、拇指球に相当する部位を挟んで位置する２つの屈曲溝を有する。それぞれの屈曲溝は、アウトサイドからインサイドに向かってトウサイドからヒールサイドに向かう方向に延在している。
【００１３】
好ましくは、アウトソールは、２つの屈曲溝に挟まれたゾーンに、ジグザグ状の複数の突起を有する。それぞれの突起は、アウトサイドからインサイドに向かってトウサイドからヒールサイドに向かう方向に延在している。
【発明の効果】
【００１４】
本発明に係るアウトソールを備えた釣り用履き物では、第一要素が多数の防滑エッジを有する。従って、船上で釣り人の足に様々な方向の力がかかっても、釣り人は踏ん張りやすい。この第一要素は、小溝を有する。従って、この履き物はスリップしにくい。
【図面の簡単な説明】
【００１５】
【図１】図１は、本発明の一実施形態に係る釣り用履き物であるブーツが示された正面図である。
【図２】図２は、図１のブーツのアウトソールが示された底面図である。
【図３】図３は、図２のアウトソールの第一要素が示された拡大図である。
【図４】図４は、図３のIV−IV線に沿った断面図である。
【図５】図５は、図３のＶ−Ｖ線に沿った断面図である。
【図６】図６は、図２のアウトソールのジグザグ突起が示された拡大図である。
【図７】図７は、図６のVII−VII線に沿った断面図である。
【図８】図８は、図２のアウトソールの第二要素が示された拡大図である。
【図９】図９は、図８のIX−IX線に沿った断面図である。
【図１０】図１０は、図８のＸ−Ｘ線に沿った断面図である。
【図１１】図１１は、図２のアウトソールの矩形突起が示された拡大図である。
【図１２】図１２は、図２のアウトソールの矩形突起が示された拡大図である。
【発明を実施するための形態】
【００１６】
以下、適宜図面が参照されつつ、好ましい実施形態に基づいて本発明が詳細に説明される。
【００１７】
図１に示されたブーツ２は、釣り人等に着用される。このブーツ２は、アウトソール４、インソール（図示されず）及びアッパー６を備えている。アッパー６は、甲皮の一例である。アウトソール４は、アッパー６と接合されている。アッパー６に対して着脱自在なアウトソール４を、ブーツ２が備えてもよい。着脱は、面ファスナーによって達成されうる。図１におけるｚ方向は、高さ方向である。
【００１８】
図２には、アウトソール４が示されている。このアウトソール４は、右足用である。左足用のアウトソールは、右足用のアウトソール４の形状と鏡面対称である形状を有する。
【００１９】
図２において、上下方向（ｙ方向）はアウトソール４の長さ方向であり、左右方向（ｘ向）はアウトソール４の幅方向である。図２において、上側はトウサイドであり、下側はヒールサイドであり、左側はアウトサイドであり、右側はインサイドである。
【００２０】
図２において一点鎖線で示されているのは、長さ線８である。長さ線８は、アウトソール４の底面の輪郭の内に画かれうる最長の線分である。図２において、符号Ｅｈで示されているのはヒールサイド端Ｅｈであり、Ｅｔで示されているのはトウサイド端Ｅｔである。
【００２１】
このアウトソール４は、ベース面１０、第一屈曲溝１２、第二屈曲溝１４、第一主溝１６、第二主溝１８、第一壁２０及び第二壁２２を有している。第一屈曲溝１２、第二屈曲溝１４、第一主溝１６、第二主溝１８、第一壁２０及び第二壁２２により、アウトソール４は、外爪先部２４、内爪先部２６、屈曲部２８、外中間部３０、外踵部３２、アーチ部３４及び内踵部３６に区画されている。
【００２２】
第一屈曲溝１２は、ベース面１０から凹陥している。第一屈曲溝１２は、直線状である。第一屈曲溝１２は、アウトサイドからインサイドに向かってトウサイドからヒールサイドに向かう方向に延在している。第一屈曲溝１２は、アウトサイドの外縁からインサイドの外縁にまで至っている。第一屈曲溝１２は、アウトソール４の排水性能に寄与しうる。第一屈曲溝１２の幅は、２．０ｍｍ以上８．０ｍｍ以下が好ましく、３．０ｍｍ以上６．０ｍｍ以下が特に好ましい。第一屈曲溝１２の深さは、０．５ｍｍ以上４．０ｍｍ以下が好ましい。
【００２３】
第二屈曲溝１４は、ベース面１０から凹陥している。第二屈曲溝１４は、直線状である。第二屈曲溝１４は、アウトサイドからインサイドに向かってトウサイドからヒールサイドに向かう方向に延在している。第二屈曲溝１４は、アウトサイドの外縁からインサイドの外縁にまで至っている。第二屈曲溝１４は、アウトソール４の排水性能に寄与しうる。第二屈曲溝１４の幅は、２．０ｍｍ以上８．０ｍｍ以下が好ましく、３．０ｍｍ以上６．０ｍｍ以下が特に好ましい。第二屈曲溝１４の深さは、０．５ｍｍ以上４．０ｍｍ以下が好ましい。
【００２４】
この実施形態では、第二屈曲溝１４は、第一屈曲溝１２と平行に延在している。第二屈曲溝１４は、第一屈曲溝１２よりもヒールサイドに位置している。ブーツ２の着用者の足の拇指球に相当する部位は、第一屈曲溝１２と第二屈曲溝１４とに挟まれている。前述の通り、第一屈曲溝１２と第二屈曲溝１４とは、ベース面１０から凹陥している。従って、第一屈曲溝１２においてアウトソール４は曲がりやすく、第二屈曲溝１４においてもアウトソール４は曲がりやすい。第一屈曲溝１２及び第二屈曲溝１４を有するアウトソール４は、歩行時の足の変形に追従しやすい。
【００２５】
着用者が地面を蹴るとき、拇指球に大きな力がかかる。力のかかる位置は、拇指球から小指の方向へと移動する。この位置の移動方向は、概ね、第一屈曲溝１２及び第二屈曲溝１４の延在方向と一致している。
【００２６】
第一主溝１６は、ベース面１０から凹陥している。第一主溝１６は、湾曲している。第一主溝１６は、概してヒールサイドからトウサイドに向かう方向に延在している。第一主溝１６は、第一屈曲溝１２から延在し、トウサイドの外縁にまで至っている。第一主溝１６は、アウトソール４の排水性能に寄与しうる。第一主溝１６の幅は、１．５ｍｍ以上７．０ｍｍ以下が好ましく、２．０ｍｍ以上５．０ｍｍ以下が特に好ましい。第一主溝１６の深さは、０．５ｍｍ以上４．０ｍｍ以下が好ましい。
【００２７】
第二主溝１８は、ベース面１０から凹陥している。第二主溝１８は、湾曲している。第一主溝１６は、概してトウサイドからヒールサイドに向かう方向に延在している。第二主溝１８は、第二屈曲溝１４から延在し、ヒールサイドの外縁にまで至っている。第二主溝１８は、アウトソール４の排水性能に寄与しうる。第二主溝１８の幅は、１．５ｍｍ以上７．０ｍｍ以下が好ましく、２．０ｍｍ以上５．０ｍｍ以下が特に好ましい。第二主溝１８の深さは、０．５ｍｍ以上４．０ｍｍ以下が好ましい。
【００２８】
第一壁２０は、ベース面１０から突出している。第一壁２０は、直線状である。本実施形態では、第一壁２０は、幅方向に延在している。第一壁２０は、第二主溝１８から延在し、アウトサイドの外縁にまで至っている。
【００２９】
第二壁２２は、ベース面１０から突出している。第二壁２２は、直線状である。本実施形態では、第二壁２２は、アウトサイドからインサイドに向かってヒールサイドからトウサイドに向かう方向に延在している。第二壁２２は、第二主溝１８から延在し、インサイドの外縁にまで至っている。
【００３０】
外爪先部２４は、第一屈曲溝１２よりもトウサイドで、第一主溝１６よりもアウトサイドに位置している。外爪先部２４は、多数の筋山３８を備えている。これらの筋山３８の接地面の面積は、大きい。この面積が大きいので、外爪先部２４には餌（コマセ）が詰まりにくい。この観点から、図２の底面図における外爪先部２４の面積（すなわち投影面積）に対する筋山３８の接地面の面積の比率は５５％以上が好ましく、６０％以上がより好ましく、６５％以上が特に好ましい。
【００３１】
内爪先部２６は、第一屈曲溝１２よりもトウサイドで、第一主溝１６よりもインサイドに位置している。着用者が船上で踏ん張るとき、内爪先部２６には大きな力がかかる。船の揺れに応じ、内爪先部２６には様々な方向の力がかかる。内爪先部２６には、多数の円錐台突起４０と、多数の第一要素４２とが形成されている。それぞれの円錐台突起４０は、ベース面１０から突出している。
【００３２】
図３−５に示されるように、それぞれの第一要素４２は、第一突起４４、第二突起４６、第三突起４８、第四突起５０、第一小溝５２及び第二小溝５４を有している。第一突起４４は、第一小溝５２を隔てて第二突起４６と隣接している。第二突起４６は、第二小溝５４を隔てて第三突起４８と隣接している。第三突起４８は、第一小溝５２を隔てて第四突起５０と隣接している。第四突起５０は、第二小溝５４を隔てて第一突起４４と隣接している。
【００３３】
第一突起４４は、第一防滑エッジ５６を有している。第二突起４６は、第二防滑エッジ５８を有している。第二防滑エッジ５８の延在方向は、第一防滑エッジ５６の延在方向と略直交している。第三突起４８は、第三防滑エッジ６０を有している。第三防滑エッジ６０の延在方向は、第二防滑エッジ５８の延在方向と略直交している。第四突起５０は、第四防滑エッジ６２を有している。第四防滑エッジ６２の延在方向は、第三防滑エッジ６０の延在方向と略直交している。第一要素４２は４つの防滑エッジを有しているので、様々な方向からの力に対し、防滑効果を奏する。
【００３４】
第一小溝５２は、長さ方向に延在している。第二小溝５４は、幅方向に延在している。第二小溝５４は、第一小溝５２と直交している。第一小溝５２及び第二小溝５４は、内爪先部２６の排水性能に寄与する。排水により、スリップが防止されうる。第一小溝５２の幅は、０．２ｍｍ以上２．０ｍｍ以下が好ましい。第二小溝５２の幅は、０．２ｍｍ以上２．０ｍｍ以下が好ましい。第一小溝５２の深さは、０．２ｍｍ以上２．０ｍｍ以下が好ましい。第二小溝５２の深さは、０．２ｍｍ以上２．０ｍｍ以下が好ましい。
【００３５】
屈曲部２８は、第一屈曲溝１２と第二屈曲溝１４とに挟まれている。図６及び７に示されるように、屈曲部２８は、多数のジグザグ突起６４を有する。１つのジグザグ突起６４と、このジグザグ突起６４に隣接する他のジグザグ突起６４との間は、ジグザグ溝６６である。この図６では、説明の便宜上、ジグザグ突起６４にハッチングが付されている。これらのジグザグ突起６４の繰り返し方向は、長さ方向と一致している。それぞれのジグザグ突起６４は、アウトサイドからインサイドに向かって、トウサイドからヒールサイドに向かう方向に、延在している。
【００３６】
船上で着用者が踏ん張るとき、屈曲部２８にかかる力はさほど大きくない。一方、歩行時には、屈曲部２８に大きな力がかかる。ジグザグ突起６４は、前進歩行時のグリップ性能に寄与する。ジグザグ突起６４はさらに、幅方向の力に対しても、多少のエッジ効果を奏する。
【００３７】
外中間部３０は、第二屈曲溝１４よりもヒールサイド、第二主溝１８よりもアウトサイド、そして第一壁２０よりもトウサイドに位置している。着用者が船上で踏ん張るとき、外中間部３０には大きな力がかかる。船の揺れに応じ、外中間部３０には様々な方向の力がかかる。外中間部３０には、多数の円錐台突起４０と、多数の第一要素４２とが形成されている。内爪先部２６に関して前述された通り、第一要素４２は４つの防滑エッジ５６、５８、６０、６２を有しているので、様々な方向からの力に対して防滑効果を奏する。
【００３８】
外踵部３２は、第二主溝１８よりもアウトサイドであって、第一壁２０よりもヒールサイドに位置している。外踵部３２には、多数の円錐台突起４０と、多数の第二要素６８とが形成されている。
【００３９】
図８−１０に示されるように、それぞれの第二要素６８は、第五突起７０、第六突起７２、第七突起７４、第八突起７６、第三小溝７８及び第四小溝８０を有している。第五突起７０は、第三小溝７８を隔てて第六突起７２と隣接している。第六突起７２は、第四小溝８０を隔てて第七突起７４と隣接している。第七突起７４は、第三小溝７８を隔てて第八突起７６と隣接している。第八突起７６は、第四小溝８０を隔てて第五突起７０と隣接している。
【００４０】
第五突起７０は、第五防滑エッジ８２を有している。第六突起７２は、第六防滑エッジ８４を有している。第六防滑エッジ８４の延在方向は、第五防滑エッジ８２の延在方向と略直交している。第七突起７４は、第七防滑エッジ８６を有している。第七防滑エッジ８６の延在方向は、第六防滑エッジ８４の延在方向と略直交している。第八突起７６は、第八防滑エッジ８８を有している。第八防滑エッジ８８の延在方向は、第七防滑エッジ８６の延在方向と略直交している。第二要素６８は４つの防滑エッジを有しているので、様々な方向からの力に対し、防滑効果を奏する。
【００４１】
第三小溝７８は、長さ方向に延在している。第四小溝８０は、幅方向に延在している。第四小溝８０は、第三小溝７８と直交している。第三小溝７８及び第四小溝８０は、外踵部３２の排水性能に寄与する。排水により、スリップが防止されうる。
【００４２】
図８−１０から明かな通り、第四小溝８０の幅は第三小溝７８の幅よりも大きい。第四小溝８０の幅は、図３−５に示された第一要素４２の第一小溝５２の幅及び第二小溝５４の幅よりも大きい。第四小溝８０の深さは、第三小溝７８の深さよりも大きい。第四小溝８０の深さは、図３−５に示された第一要素４２の第一小溝５２の深さ及び第二小溝５４の深さよりも大きい。その幅及び深さが大きいので、第四小溝８０は水を通過させやすい。第三小溝７８の幅は、０．２ｍｍ以上２．０ｍｍ以下が好ましい。第四小溝８０の幅は、０．５ｍｍ以上３．０ｍｍ以下が好ましい。第三小溝７８の深さは、０．２ｍｍ以上２．０ｍｍ以下が好ましい。第四小溝８０の深さは、０．５ｍｍ以上３．０ｍｍ以下が好ましい。
【００４３】
外踵部３２及び内踵部３６は、歩行時に、他の部位に先駆けて接地する。外踵部３２に第四小溝８０が存在するので、接地の瞬間のアウトソール４のスリップが抑制される。第四小溝８０の幅が大きいので、外踵部３２の面積に対する第二要素６８の面積の比率は、外中間部３０の面積に対する第一要素４２の面積の比率よりも小さい。しかし、外踵部３２は外中間部３０に比べ、船上で着用者が踏ん張るときにかかる力が小さいので、問題はない。
【００４４】
図８に示された第二要素６８では、第四小溝８０は幅方向に延在している。従って、水は幅方向に移動しやすい。アウトサイドに移動した水は、アウトソール４の外縁から排出される。インサイドへ移動した水は、第二主溝１８へと排出される。
【００４５】
図２から明らかなように、外踵部３２は、図８に示された形状が９０°回転した形状を有する他の第二要素６８も有している。他の第二要素６８では、第四小溝８０は長さ方向に延在している。従って、歩行に伴い、水はヒールサイドからトウサイドに向かって移動しやすい。移動した水は、第一壁２０でせき止められる。この水は第一壁２０に沿ってアウトサイドへ移動し、アウトソール４の外縁から排出される。水はまた、第一壁２０に沿ってインサイドへ移動し、第二主溝１８へと排出される。
【００４６】
アーチ部３４は、第二屈曲溝１４よりもヒールサイド、第二主溝１８よりもインサイド、そして第二壁２２よりもトウサイドに位置している。図２から明らかなように、アーチ部３４は、外踵部３２と同様のパターンを有する。アーチ部３４には、多数の円錐台突起４０と、多数の第二要素６８とが形成されている。着用者が船に乗り込むとき、舷の上縁に足をかける。このとき、アーチ部３４が上縁と当接する。第二要素６８は、アーチ部３４の上縁とのスリップを抑制する。
【００４７】
内踵部３６は、第二主溝１８よりもインサイドであって、第二壁２２よりもヒールサイドに位置している。外踵部３２には、多数の矩形突起９０が形成されている。それぞれの矩形突起９０は、ベース面１０から突出している。内踵部３６のうち矩形突起９０以外の部分は、溝である。
【００４８】
図１１には、内踵部３６の一部が示されている。図１１には、２列の矩形突起９０が示されている。各列の矩形突起９０は、概ね長さ方向に沿って並んでいる。２列の矩形突起９０の間は、縦溝９２である。図１１から明らかなように、トウサイドの矩形突起９０のｘ方向幅は、ヒールサイドの矩形突起９０のｘ方向幅よりも小さい。従って、トウサイドにおける縦溝９２の幅Ｗｔは、ヒールサイドにおける縦溝９２の幅Ｗｈよりも大きい。１つの列に属する矩形突起９０のｘ方向幅は、ヒールサイドからトウサイドに向かって徐々に小さくなる。従って、縦溝９２の幅は、ヒールサイドからトウサイドに向かって徐々に大きくなる。
【００４９】
内踵部３６には、歩行の接地のときに大きな力がかかる。歩行時には、アウトソール４のヒールサイドがまず接地する。接地箇所は、ヒールサイドからトウサイドに向かって進行する。前述の通り、縦溝９２の幅は、ヒールサイドからトウサイドに向かって徐々に大きくなる。従って、接地箇所がヒールサイドからトウサイドに向かって進行するのに従い、水がヒールサイドからトウサイドに向かって円滑に移動する。一部の水は、第二壁２２に到達する。水は、第二壁２２に沿ってインサイドの外縁から排出される。このアウトソール４を備えたブーツ２では、歩行時のスリップが抑制される。
【００５０】
縦溝９２の幅が徐々に変化しているので、この縦溝９２に餌が詰まったときでも、この餌が抜けやすい。
【００５１】
縦溝９２の最小幅に対する最大幅の比は、１．２以上３．０以下が好ましく、１．４以上２．５以下が特に好ましい。
【００５２】
図１２には、内踵部３６の一部が示されている。図１２には、２列の矩形突起９０が示されている。各列の矩形突起９０は、アウトサイドからインサイドに向かってヒールサイドからトウサイドに向かう方向に沿って並んでいる。２列の矩形突起９０の間は、横溝９４である。図１２から明らかなように、インサイドの矩形突起９０のｙ方向幅は、アウトサイドの矩形突起９０のｙ方向幅よりも小さい。従って、インサイドにおける横溝９４の幅Ｗｉは、アウトサイドにおける横の幅Ｗｏよりも大きい。１つの列に属する矩形突起９０のｙ方向幅は、アウトサイドからインサイドに向かって徐々に小さくなる。従って、横溝９４の幅は、アウトサイドからインサイドに向かって徐々に大きくなる。従って、接地時には、水がアウトサイドからインサイドに向かって円滑に移動し、外縁から排出される。このアウトソール４を備えたブーツ２では、歩行時のスリップが抑制される。
【００５３】
横溝９４の幅が徐々に変化しているので、この横溝９４に餌が詰まったときでも、この餌が抜けやすい。
【００５４】
横溝９４の最小幅に対する最大幅の比は、１．２以上３．０以下が好ましく、１．４以上２．５以下が特に好ましい。
【００５５】
図２において矢印Ｌで示されているのは、長さ線８の長さである。符号９６で示されているのは、長さ線８と直交し、かつトウサイド端Ｅｔからの距離が長さ線８の長さＬの１８％である線分である。図２から明かなように、長さ線８よりもインサイドであって、線分９６よりもトウサイドであるゾーンには、主として第一要素４２が配置されている。換言すれば、長さ線８よりもインサイドであって、トウサイド端Ｅｔからの距離が長さＬの０％以上１８％以下であるゾーンには、主として第一要素４２が配置されている。このゾーンにおける合計接地面積に対する、第一要素４２の接地面積の比率は、５０％以上が好ましい。この比率が５０％以上であるアウトソール４を有するブーツ２の着用者は、船上で踏ん張りやすい。この観点から、この比率は５５％以上がより好ましく、６０％以上が特に好ましい。
【００５６】
図２において符号９８で示されているのは、長さ線８と直交し、かつトウサイド端Ｅｔからの距離が長さ線８の長さＬの３５％である線分である。符号１００で示されているのは、長さ線８と直交し、かつトウサイド端Ｅｔからの距離が長さ線８の長さＬの７８％である線分である。図２から明かなように、長さ線８よりもアウトサイドであって、線分９８と線分１００とに挟まれたゾーンには、主として第一要素４２が配置されている。換言すれば、長さ線８よりもアウトサイドであって、トウサイド端Ｅｔからの距離が長さＬの３５％以上７８％以下であるゾーンには、主として第一要素４２が配置されている。このゾーンにおける合計接地面積に対する、第一要素４２の接地面積の比率は、５０％以上が好ましい。この比率が５０％以上であるアウトソール４を有するブーツ２の着用者は、船上で踏ん張りやすい。この観点から、この比率は５５％以上がより好ましく、６０％以上が特に好ましい。
【００５７】
図２から明かなように、長さ線８よりもアウトサイドであって、線分１００よりもヒールサイドであるゾーンには、主として第二要素６８が配置されている。換言すれば、長さ線８よりもアウトサイドであって、トウサイド端Ｅｔからの距離が長さ線８の長さＬの７８％以上１００％以下であるゾーンには、主として第二要素６８が配置されている。このゾーンにおける合計接地面積に対する、第二要素６８の接地面積の比率は、５０％以上が好ましい。この比率が５０％以上であるアウトソール４を有するブーツ２の着用者は、船上で踏ん張りやすい。この比率が５０％以上であるアウトソール４を有するブーツ２は、濡れたデッキの上でもスリップしにくい。これらの観点から、この比率は５５％以上がより好ましく、６０％以上が特に好ましい。
【００５８】
図２において符号１０２で示されているのは、長さ線８と直交し、かつトウサイド端Ｅｔからの距離が長さ線８の長さＬの４３％である線分である。符号１０４で示されているのは、長さ線８と直交し、かつトウサイド端Ｅｔからの距離が長さ線８の長さＬの６８％である線分である。図２から明かなように、長さ線８よりもインサイドであって、線分１０２と線分１０４とに挟まれたゾーンには、主として第二要素６８が配置されている。換言すれば、長さ線８よりもインサイドであって、トウサイド端Ｅｔからの距離が長さＬの４３％以上６８％以下であるゾーンには、主として第二要素６８が配置されている。このゾーンにおける合計接地面積に対する、第二要素６８の接地面積の比率は、５０％以上が好ましい。この比率が５０％以上であるアウトソール４を有するブーツ２は、船の舷の上縁でスリップしにくい。この観点から、この比率は５５％以上がより好ましく、６０％以上が特に好ましい。
【００５９】
図２から明かなように、長さ線８よりもアウトサイドであって、線分１０４よりもヒールサイドであるゾーンに、縦溝９２及び横溝９４が存在している。換言すれば、長さ線８よりもインサイドであって、トウサイド端Ｅｔからの距離が長さ線８の長さＬの６８％以上１００％以下であるゾーンに、縦溝９２及び横溝９４が存在している。このゾーンにおける縦溝９２の数は２以上が好ましく、３以上が特に好ましい。このゾーンにおける横溝９４の数は３以上が好ましく、５以上が特に好ましい。
【産業上の利用可能性】
【００６０】
本発明に係るアウトソールは、ブーツ、靴、タビ、ウェーダー等の種々の釣り用履き物に適している。このアウトソールは、帯状又は紐状の甲皮を有する履き物（すなわちサンダル）にも適している。このアウトソールが、単体で取引されてもよい。
【符号の説明】
【００６１】
２・・・ブーツ
４・・・アウトソール
８・・・長さ線
１０・・・ベース面
１２・・・第一屈曲溝
１４・・・第二屈曲溝
１６・・・第一主溝
１８・・・第二主溝
２０・・・第一壁
２２・・・第二壁
２４・・・外爪先部
２６・・・内爪先部
２８・・・屈曲部
３０・・・外中間部
３２・・・外踵部
３４・・・アーチ部
３６・・・内踵部
４２・・・第一要素
４４・・・第一突起
４６・・・第二突起
４８・・・第三突起
５０・・・第四突起
５２・・・第一小溝
５４・・・第二小溝
５６・・・第一防滑エッジ
５８・・・第二防滑エッジ
６０・・・第三防滑エッジ
６２・・・第四防滑エッジ
６４・・・ジグザグ突起
６８・・・第二要素
７０・・・第五突起
７２・・・第六突起
７４・・・第七突起
７６・・・第八突起
７８・・・第三小溝
８０・・・第四小溝
８２・・・第五防滑エッジ
８４・・・第六防滑エッジ
８６・・・第七防滑エッジ
８８・・・第八防滑エッジ
９０・・・矩形突起
９２・・・縦溝
９４・・・横溝
Ｅｔ・・・トウサイド端
Ｅｈ・・・ヒールサイド端
【図１】
2015216968.tif 000003
【図２】
2015216968.tif 000004
【図３】
2015216968.tif 000005
【図４】
2015216968.tif 000006
【図５】
2015216968.tif 000007
【図６】
2015216968.tif 000008
【図７】
2015216968.tif 000009
【図８】
2015216968.tif 000010
【図９】
2015216968.tif 000011
【図１０】
2015216968.tif 000012
【図１１】
2015216968.tif 000013
【図１２】
2015216968.tif 000014